【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
第１の電源電圧を供給する第１の電源と、前記第１の電源電圧よりも電源電圧の低い第２の電源電圧を供給する第２の電源とを用いて第１〜第Ｍ（Ｍは２以上の整数）の分割電圧を生成して出力する電圧分割回路と、
前記第１〜第Ｍの分割電圧のインピーダンス変換を行う第１〜第Ｍのインピーダンス変換回路と、
を含み、
前記第１〜第Ｐ（１＜Ｐ＜Ｍ、Ｐは整数）のインピーダンス変換回路及び前記第Ｑ（Ｐ＜Ｑ＜Ｍ、Ｑは整数）〜第Ｍのインピーダンス変換回路は、その動作範囲が前記第１の電源電圧と前記第２の電源電圧との間の範囲に設定されたＲａｉｌ−ｔｏ−Ｒａｉｌ型である第１型の演算増幅器を含み、
前記第Ｐ＋１〜第Ｑ−１のインピーダンス変換回路は、その動作範囲が前記第１の電源電圧よりも低い第３の電圧と、前記第１の電源電圧よりも低く前記第２の電源電圧よりも高い第４の電圧との間の範囲に設定された第２型の演算増幅器を含むことを特徴とする電圧発生回路。
【請求項２】
請求項１において、
第２〜第Ｐのインピーダンス変換回路及び第Ｑ〜第Ｍ−１のインピーダンス変換回路は、前記第２型の演算増幅器をさらに含み、
前記第２〜第Ｐのインピーダンス変換回路及び前記第Ｑ〜第Ｍ−１のインピーダンス変換回路の各々に設けられた前記第１型の演算増幅器及び前記第２型の演算増幅器は、排他的に選択され、インピーダンス変換電圧を出力することを特徴とする電圧発生回路。
【請求項３】
請求項２において、
前記第２〜第Ｐのインピーダンス変換回路及び前記第Ｑ〜第Ｍ−１のインピーダンス変換回路の各々に設けられた前記第１及び第２型の演算増幅器は、
前記第１型の演算増幅器及び前記第２型の演算増幅器の選択・非選択を設定する初期設定レジスタの設定値に基づいて、排他的に選択されてインピーダンス変換電圧を出力することを特徴とする電圧発生回路。
【請求項４】
請求項３において、
前記第２〜第Ｐのインピーダンス変換回路及び前記第Ｑ〜第Ｍ−１のインピーダンス変換回路の各々に設けられた前記第１及び第２型の演算増幅器のうち、選択された演算増幅器ではバイアス電流用トランジスタがオンに設定され、非選択された演算増幅器ではバイアス電流用トランジスタがオフに設定されることを特徴とする電圧発生回路。
【請求項５】
請求項３又は４において、
前記第１型及び第２型の演算増幅器は、
一端に第１の電源電圧（ＶＤＤ）が供給された第１の電流源（ＣＳ１）の他端に各トランジスタのソースが接続されると共に、入力信号（Ｖｉｎ）及び出力信号（Ｖｏｕｔ）が各トランジスタのゲートに入力される第１の導電型の第１の差動トランジスタ対（ＰＴ１、ＰＴ２）と、前記第１の差動トランジスタ対の各トランジスタのドレイン電流を生成する第１のカレントミラー回路（ＣＭ１）とを有する第１の導電型差動増幅回路（１００）と、
一端に第２の電源電圧（ＶＳＳ）が供給された第２の電流源（ＣＳ２）の他端に各トランジスタのソースが接続されると共に、前記入力信号及び前記出力信号が各トランジスタのゲートに入力される第２の導電型の第２の差動トランジスタ対（ＮＴ３、ＮＴ４）と、前記第２の差動トランジスタ対の各トランジスタのドレイン電流を生成する第２のカレントミラー回路（ＣＭ２）とを有する第２の導電型差動増幅回路（１１０）と、
前記第１の差動トランジスタ対を構成する２つのトランジスタの一方のドレインである第１の出力ノード（ＮＤ１）の電圧に基づいてそのゲート電圧が制御される第２の導電型の第１の駆動トランジスタ（ＮＴＯ１）と、そのドレインが前記第１の駆動トランジスタのドレインに接続され前記第２の差動トランジスタ対を構成する２つのトランジスタの一方のドレインである第２の出力ノード（ＮＤ２）の電圧に基づいてそのゲート電圧が制御される第１の導電型の第２の駆動トランジスタ（ＰＴＯ１）とを有し、前記第１の駆動トランジスタ（ＮＴＯ１）のドレインの電圧を前記出力信号（Ｖｏｕｔ）として出力する出力回路（１２０）とを含むことを特徴とする電圧発生回路。
【請求項６】
請求項５において、
前記第１型及び第２型の演算増幅器は、
前記入力信号（Ｖｉｎ）がゲートに入力されるトランジスタ（ＮＴ３）のゲートと、前記出力信号（Ｖｏｕｔ）がゲートに入力されるトランジスタ（ＮＴ４）のゲートとを電気的に接続する第１のスイッチをさらに含み、
前記第１及び第２型の演算増幅器のうち、
非選択に設定された演算増幅器の前記第１のスイッチはオンに設定され、
選択された演算増幅器の前記第１のスイッチはオフに設定されることを特徴とする電圧発生回路。
【請求項７】
請求項５又は６において、
前記第１型及び第２型の演算増幅器は、
前記第１の出力ノード（ＮＤ１）と前記第２の電源とを電気的に接続する第２のスイッチと、
前記第２の出力ノード（ＮＤ２）と前記第１の電源とを電気的に接続する第３のスイッチと、
をさらに含み、
前記第１及び第２型の演算増幅器のうち、
非選択に設定された演算増幅器の前記第２及び第３のスイッチはオンに設定され、
選択された演算増幅器の前記第２及び第３のスイッチはオフに設定されることを特徴とする電圧発生回路。
【請求項８】
請求項５乃至７のいずれかにおいて、
前記第１及び第２型の演算増幅器は、
前記出力信号（Ｖｏｕｔ）がゲートに入力されるトランジスタ（ＮＴ４）のゲートと出力信号（Ｖｏｕｔ）が出力される出力部とを電気的に接続する第４のスイッチをさらに含み、
前記第１及び第２型の演算増幅器のうち、
非選択に設定された演算増幅器の前記第４のスイッチはオフに設定され、
選択された演算増幅器の前記第４のスイッチはオンに設定されることを特徴とする電圧発生回路。
【請求項９】
請求項５乃至８のいずれかにおいて、
前記第１及び第２型の演算増幅器は、
前記第２の駆動トランジスタ（ＰＴＯ１）と前記第１の駆動トランジスタ（ＮＴＯ１）との間の中間ノードと、前記第２の駆動トランジスタ（ＰＴＯ１）のドレインとを電気的に接続する第５のスイッチと、
前記第１の駆動トランジスタ（ＮＴＯ１）のドレインと、前記中間ノードとを電気的に接続する第６のスイッチと、
をさらに含み、
前記第１及び第２型の演算増幅器のうち、
非選択に設定された演算増幅器の前記第５及び第６のスイッチはオフに設定され、
選択された演算増幅器の前記第第５及び第６のスイッチはオンに設定されることを特徴とする電圧発生回路。
【請求項１０】
請求項５乃至９のいずれかにおいて、
前記第１及び第２型の演算増幅器は、
前記第２の駆動トランジスタ（ＰＴＯ１）と前記第１の駆動トランジスタ（ＮＴＯ１）との間の中間ノードと、出力信号（Ｖｏｕｔ）が出力される出力部とを電気的に接続する出力イネーブルスイッチをさらに含み、
前記第１及び第２型の演算増幅器のうち、
非選択に設定された演算増幅器の前記出力イネーブルスイッチはオフに設定され、
選択された演算増幅器の前記出力イネーブルスイッチはオンに設定されることを特徴とする電圧発生回路。
【請求項１１】
請求項１乃至４のいずれかにおいて、
前記第１型の演算増幅器は、
入力信号（Ｖｉｎ）及び出力信号（Ｖｏｕｔ）の差分を増幅する第１の導電型差動増幅回路（１００）と、
前記入力信号（Ｖｉｎ）及び前記出力信号（Ｖｏｕｔ）の差分を増幅する第２の導電型差動増幅回路（１１０）と、
前記入力信号（Ｖｉｎ）及び前記出力信号（Ｖｏｕｔ）に基づいて、前記第１の導電型差動増幅回路の第１の出力ノード（ＮＤ１）及び第１の反転出力ノード（ＮＸＤ１）のうち少なくとも一方を駆動する第１の補助回路（１３０）と、
前記入力信号（Ｖｉｎ）及び前記出力信号（Ｖｏｕｔ）に基づいて、前記第２の導電型差動増幅回路の第２の出力ノード（ＮＤ２）及び第２の反転出力ノード（ＮＸＤ２）のうち少なくとも一方を駆動する第２の補助回路（１４０）と、
前記第１及び第２の出力ノード（ＮＤ１、ＮＤ２）の電圧に基づいて前記出力信号（Ｖｏｕｔ）を生成する出力回路（１２０）とを含むことを特徴とする電圧発生回路。
【手続補正２】
【補正対象書類名】明細書
【補正対象項目名】００６９
【補正方法】変更
【補正の内容】
【００６９】
基準電圧発生回路２０はγ（ガンマ）補正用のラダー抵抗を含むように構成されてもよく、階調電圧を生成するための複数の基準電圧を発生する。
【手続補正３】
【補正対象書類名】明細書
【補正対象項目名】００９１
【補正方法】変更
【補正の内容】
【００９１】
これは、一般的に、ＶＣＯＭの正極期間と負極期間とではγ（ガンマ）補正特性（階調特性）が非対称になるためである。つまり、このようにγ（ガンマ）補正特性が非対称になる場合にも、図６のようにラダー抵抗の抵抗分割を正極性用、負極性用とで変更することで、ＶＣＯＭの正極期間、負極期間の各期間に最適なγ（ガンマ）補正を行うことが可能になる。なお、第１の電圧分割回路８０においても、基準電圧ＶＣＯＭの正極・負極に基づいて、微調整レジスタ２８を設定することで、各インピーダンス変換回路ＩＰ３〜ＩＰ８に入力される電圧を変更可能である。